(57)【要約】      （修正有）【課題】梱包材に使用されている粘着テープを、簡単な操作で安全に取り外す。【解決手段】粘着テープと被粘着面との間に圧入させる刃先と、刃先を露出させると共に刃先を保持し刃先より若干の厚みを有した支持盤を備え、支持盤より把持部を延設させ、粘着テープ除去工具の支持盤が略半円形状に形成されると共に、支持盤の形状に沿って刃先が露出するように構成することによって、粘着テープの側縁部分に刃先をスライドさせながら圧入することで粘着テープの一部分は剥離するため、更に剥離した粘着テープ部分をタブ代わりとして支持盤を裏面に当接させた状態で、指等で押さえつけながら粘着テープ全体を剥がすことが可能である。【選択図】図１
0003105607.tif 000002
【実用新案登録請求の範囲】
【請求項１】
粘着テープの端縁の隙間に圧入して粘着テープを剥離させる粘着テープ用除去工具であって、前記粘着テープ用除去工具は、粘着テープと被粘着面との間に圧入させる刃先と、該刃先を露出させると共に当該刃先を保持し且つ刃先より若干の厚みを有した支持盤を備え、該支持盤より把持部を延設させたことを特徴とする粘着テープ用除去工具。
【請求項２】
前記粘着テープ除去工具の支持盤が略半円形状に形成されると共に、該支持盤の形状に沿って刃先が露出されていることを特徴とする請求項１記載の粘着テープ用除去工具。
【請求項３】
前記粘着テープ除去工具の支持盤には、刃先より先端方向に突出させると共に先端部をやや鋭利とした突起を設けたことを特徴とする請求項１又は２に記載の粘着テープ用除去工具。
【請求項４】
前記刃先が先端部を鋭利としていない薄肉の板状体であることを特徴とする請求項１乃至請求項３記載の粘着テープ用除去工具。
【考案の詳細な説明】
【技術分野】
【０００１】本考案は、粘着テープと被粘着面との間に強制的に挿入することで、強固に接着された粘着テープを簡単に除去することが可能な粘着テープ除去工具に関する。
【背景技術】
【０００２】従来より、段ボール等の梱包材に接着された粘着テープを剥がすためには、手の爪や、カッターナイフ等を利用していた。このため、作業の際に手が汚れたり、カッターナイフを使用した場合には段ボールを切り込んでしまったり、カッターナイフで指を切る等の危険性があった。
【発明が解決しようとする課題】
【０００３】本考案は、上記問題点に鑑み、梱包材に使用されている粘着テープを、簡単な操作で且つ安全に取り外すことが可能な粘着テープ除去工具を提供するものであり、同時に、梱包材のフラップの接合部分に使用されている粘着テープを切断できる突起を設けて、利便性を向上させた粘着テープ除去工具を提供することを目的とする。
【課題を解決するための手段】
【０００４】  かかる目的を達成するために、本考案は、粘着テープの端縁の隙間に圧入して粘着テープを剥離させる粘着テープ用除去工具であって、前記粘着テープ用除去工具は、粘着テープと被粘着面との間に圧入させる刃先と、該刃先を露出させると共に当該刃先を保持し且つ刃先より若干の厚みを有した支持盤を備え、該支持盤より把持部を延設させ、粘着テープ除去工具の支持盤が略半円形状に形成されると共に、該支持盤の形状に沿って刃先が露出されていることを主たる特徴としている。
【０００５】上記の構成において、粘着テープの、例えば、側縁部分に刃先をスライドさせながら圧入することで粘着テープの一部分は剥離するため、更に剥離した粘着テープ部分をタブ代わりとして支持盤を裏面に当接させた状態で、指等で押さえつけながら粘着テープ全体を剥がすことが可能である。
【０００６】次に、本考案は、粘着テープ除去工具の支持盤に、刃先より先端方向に突出させると共に先端部をやや鋭利とした突起を設けたことを特徴としている。
【０００７】上記の構成において、例えば、梱包材のフラップの接合部分に使用されている粘着テープに対しては、突起を接合縁に沿って圧入させ切断することが可能である。そして、本考案において、露出させる刃先は、カッター刃の如く先端部が鋭利ではなく、粘着テープと被粘着面との間に圧入できる程度の薄肉の板状体としたため、手や指に怪我をおうような危険性が回避されているものである。
【実施例】
【０００８】次に、本考案を実施例の図面に基づいて説明する。図１は、本考案の粘着テープ除去工具の第１実施例を示す平面図であり、図２は、その側面図であり、図３は、その先端部の要部拡大図である。【０００９】本考案は、図３に図示の如く、粘着テープＡの端縁の隙間に圧入して粘着テープＡを剥離させる粘着テープ用除去工具であり、前記粘着テープ用除去工具は、粘着テープＡと被粘着面Ｂとの間に圧入させる刃先１と、図１又は図２に図示の如く、刃先１を露出させると共に当該刃先１を保持し且つ刃先１より若干の厚みを有した支持盤２を備えたものである。【００１０】本考案の工具は、実施例の図の如く前記粘着テープ除去工具の支持盤２は、硬質プラスチック等から形成された略半円形状の部材として形成されており、この支持盤２の形状に沿って、同様に略半円形状に刃先１が露出されている。【００１１】前記刃先１は、カッター刃と異なり、先端部を鋭利としていない薄肉の板状体として形成されている。【００１２】また、前記支持盤２の基部からは長板状の把持部３が延設され、これにより、本工具を手で持って使用することが可能である。図４の実施例では、長板状の把持部３は、湾曲して形成されているが、これは、刃先１を粘着テープＡの端縁に当接させる際の力を加える角度により調整される。【００１３】一方、前記粘着テープ除去工具の支持盤２には、刃先１より先端方向に突出させると共に先端部をやや鋭利とした突起４が、実施例では、左右方向の２箇所に設けられている。【００１４】次に本実施例の粘着テープ除去工具の使用方法について説明する。
先ず、本考案の粘着テープ用除去工具を把持部３を確りとグリップして、接着されている粘着テープＡの端縁に対して刃先１を当てる。この際、やや剥離現象の見られる部位に適用することが好ましい。次いで、粘着テープＡの端縁に沿って刃先１を往復動させながら圧入させて、粘着テープＡの端縁の若干部分を剥離させる。【００１５】そして、剥離した粘着テープＡと被粘着面Ｂとの間に刃先１を圧入させた状態で、若干の厚みを有した支持盤２上へ至る程度に更に圧入し、親指等で粘着テープＡを押さえることで、当該部分をタブの如く使用して粘着テープＡを剥離するものである。【００１６】また、粘着テープ除去工具の支持盤２には、刃先１より先端方向に突出させると共に先端部をやや鋭利とした突起４を設けているが、これは、梱包材のフラップに沿って粘着テープＡが取り付けられている場合に、接合部分の隙間に向けて突起４を押し付けることで、粘着テープＡを切断させて、フラップを開動作させることができるようになる。
【発明の効果】
【００１７】以上の如く、本考案は、粘着テープ除去部の先端部構造を改良したことにより、粘着テープを簡単な操作で取り除くことが可能であり、且つ、接合部の粘着テープも切断することが可能である。また、刃先が先端部を鋭利としていない薄肉の板状体であることから、作業中及び作業後に手や指などに怪我をおうことがなく、安全に作業を行うことができる。
【図面の簡単な説明】
【００１８】
【図１】本考案の粘着テープ除去工具の第１実施例を示す平面図である。
【図２】その側面図である。
【図３】その先端部の要部拡大図である。
【図４】本考案の粘着テープ除去工具の第２実施例を示す平面図である。
【符号の説明】
【００１９】Ａ  粘着テープ
Ｂ  被粘着面
１  刃先
２  支持盤
３  把持部
４  突起
【図１】
0003105607.tif 000003
【図２】
0003105607.tif 000004
【図３】
0003105607.tif 000005
【図４】
0003105607.tif 000006